(57)【要約】【課題】１缶２水式熱交換器でのお湯張り時に設定温度に対してのお湯張り湯温のバラツキを解消し、使い勝手の向上を図る。【解決手段】水回路を切り替える３方弁３１を制御することにより、風呂お湯張り時に、実際に浴槽に注湯される湯温が配管の長さ、気温等の条件変化が生じても設定温度に対して湯温のバラツキがなく、また、シャワー使用中の浴槽水の湯温検知時に循環ポンプ３５を動作する際にも、浴槽水の温度の上昇がなく、シャワー使用時、風呂お湯はり時、追い炊き時に同時に酸素供給運転が可能で、水位センサがないタイプの風呂給湯器でも風呂アダプタ３３が浴槽水で満たされているか否かを検知する動作を短くして、風呂お湯はり時間を可能な限り短くし、使い勝手をよくした酸素供給機能付き１缶２水式風呂給湯器となる。【選択図】図１
2006022975.tif 000002
【特許請求の範囲】
【請求項１】
給湯回路と風呂回路を有する１缶２水式熱交換器と、給水路に設けられた給水温度を検知する水温センサおよび給水流量を検知する水量センサと、出湯路に設けられた湯温を検知する給湯センサおよび出湯流量を制御する給湯水量制御弁と、浴槽から１缶２水式熱交換器へ循環水が流れる戻り通路と、浴槽水を循環させる循環ポンプと、浴槽水の有無を検知する水流スイッチと、循環させる浴槽の湯温を検出する風呂センサと、給湯の出湯路と戻り通路を接続する通路に設けられた給湯電磁弁と、風呂の通路を切り替える三方弁と、前記浴槽に設けた風呂アダプタと、高濃度の酸素を供給する酸素富化装置と、前記酸素富化装置からの高濃度の酸素を追焚き循環回路に混入させる混入手段と、運転モードを入力したり、浴槽水の温度や水量等を設定できる外部入力装置とを有し、湯張り動作時に前記三方弁を切り替えることで、前記１缶２水式熱交換器で加熱した湯を前記給湯電磁弁から再度前記１缶２水式熱交換器を通らずに浴槽へ注湯する手段を備えた風呂給湯器。
【請求項２】
１缶２水式熱交換器を加熱中に熱交換器を通らずに浴槽水を循環させる手段を備えた請求項１に記載の風呂給湯器。
【請求項３】
酸素を追焚き循環回路に混入させる運転中に、浴槽水を加熱しながらか否かを選択できる手段を備えた請求項１に記載の風呂給湯器。
【請求項４】
風呂アダプタが浴槽水に完全に浸かる湯量を記憶し、記憶値以上の湯量が浴槽にある場合にのみ、前記酸素富化装置からの高濃度の酸素を追焚き循環回路に混入させる運転を許可する手段を備えた請求項１から４のいずれか１項記載の風呂給湯器。
【発明の詳細な説明】
【技術分野】
【０００１】
本発明は浴槽内に湯を所定量落とし込む給湯器と、浴槽を追い炊きする浴槽循環ポンプおよび加熱器と酸素富化装置からの高濃度の酸素を追焚き循環配管を利用して、浴槽水に供給する機能を備えた風呂給湯装置に関するものである。
【背景技術】
【０００２】
従来、この種の給湯風呂装置は、図３に示すような構成になっている。すなわち、外部入力装置１で浴槽水の設定温度を入力し、風呂お湯張り運転信号を入力すると、給湯電磁弁２が開いて給湯回路から風呂回路へ通水するため、水量センサ３が通水を検知した後、燃焼用のファン４が回転し、ガス元電磁弁５、ガス比例弁２０が開き、燃焼用空気とガスが供給されたバーナ６に点火プラグ７により着火し、１缶２水式熱交換器の給湯用熱交換器８と追焚用熱交換器９がバーナ６により同時に加熱され、風呂お湯張り運転を開始する。この時、給湯回路内の給湯用熱交換器８で加熱された湯は、給湯センサ１０により検出された温度が外部入力装置１に入力され風呂設定温度になるようにガス比例弁６の開き度合いを制御する。このようにして温度が制御された湯は、給湯回路から給湯電磁弁２を通過後、二手に別れ風呂回路を構成する風呂戻り通路１１と追焚用熱交換器９を経て風呂往き通路１２の双方から浴槽１３へ注湯される。
【０００３】
また、シャワー１４使用時などに給湯用熱交換器８と追焚用熱交換器９がバーナ６により同時に加熱されるため、風呂センサ１５による浴槽水の湯温検知時にポンプ１６を循環する際、加熱された追焚用熱交換器９を経て浴槽水が浴槽１３に戻される。
【０００４】
さらには、シャワー１４使用などと同時に酸素を追焚き循環回路に混入させるために酸素用ポンプ１７を循環する際には、追焚用熱交換器９で浴槽水が熱交換されてしまうので、酸素供給運転を待機していた。
【０００５】
そして、この種の酸素供給機能付き風呂給湯器は、浴槽水の水位を検知する水位センサ１８を搭載しており風呂アダプタ１９が浴槽水で満たされているか否かを常時監視が可能であった。よって風呂アダプタ１９が浴槽水で満たされている場合のみ酸素富化装置からの高濃度の酸素を、追焚き循環配管を利用して浴槽内の浴水中に供給運転を許可する（特許文献１、特許文献２参照）。
【特許文献１】特開平１０−７３３１２号公報
【特許文献２】特開２００２−１６８５１６号公報
【発明の開示】
【発明が解決しようとする課題】
【０００６】
しかしながら、前記従来の構成では、風呂お湯張り運転時に１缶２水式熱交換器の給湯用熱交換器と追焚用熱交換器がバーナにより同時に加熱され、風呂設定温度になるように制御された湯は、給湯回路から給湯電磁弁を通過後、二手に別れ風呂回路を構成する風呂戻り管側と追焚用熱交換器を経て風呂往き管側の双方から浴槽へ注湯されるため、実際に浴槽に注湯される温度を制御するには風呂戻り管側と風呂往き管側双方の水量の算出、双方の湯温の検知およびリアルタイムでの燃焼量制御などの複雑な制御が必要で、配管の長さ、気温等のバラツキにより湯温のバラツキが生じる恐れがあった。
【０００７】
また、シャワー使用時などに給湯用熱交換器と追焚用熱交換器がバーナにより同時に加熱されるため、風呂センサによる浴槽水の湯温検知時にポンプを循環する際、追焚用熱交換器で熱交換され、浴槽水の温度が意図されずに上昇する課題を有していた。
【０００８】
さらには、シャワー使用などと同時に酸素を追焚き循環回路に混入させるためにポンプを循環する際には、追焚用熱交換器で浴槽水が熱交換されてしまうので、酸素供給運転を待機せざるをえなかった。よってシャワー使用時などには酸素供給運転が働かないという使い勝手の面で悪くなる課題を有していた。
【０００９】
そして、この種の酸素供給機能付き風呂給湯器は、浴槽水の湯量を検知する水位センサを搭載しており風呂アダプタが浴槽水で満たされているか否かを常時監視が可能であった。しかし水位センサがないタイプの風呂給湯器は風呂アダプタが浴槽水で満たされているか否かを検知するには、循環ポンプで浴槽水を循環させ、浴槽水の有無を検知する水流スイッチで検知するしか検知手段がなく、風呂アダプタの設置条件によっては自動お湯はり時間が非常に長くなり、使い勝手の面で非常に悪くなる課題が生じることが予想されていた。
【００１０】
本発明は、前記従来の課題を解決するもので、風呂お湯張り運転時に、実際に浴槽に注湯される湯温が配管の長さ、気温等の条件変化により設定温度に対して湯温のバラツキがなく、また、シャワー使用時などに、風呂センサによる浴槽水の湯温検知時に循環ポンプを動作する際にも、浴槽水の温度の上昇がなく、シャワー使用時に酸素供給運転が可能で、水位センサがないタイプの風呂給湯器でも風呂アダプタが浴槽水で満たされているか否かを検知する動作を短くして、風呂お湯はり時間を可能な限り短くし、使い勝手をよくした酸素供給機能付き１缶２水式風呂給湯器を提供することを目的とする。
【課題を解決するための手段】
【００１１】
前記従来の課題を解決するために、本発明の風呂給湯器は、給湯回路と風呂回路を有する１缶２水式熱交換器と、給水路に設けられた給水温度を検知する水温センサおよび給水流量を検知する水量センサと、出湯路に設けられた湯温を検知する給湯センサおよび出湯流量を制御する給湯水量制御弁と、浴槽から１缶２水式熱交換器へ循環水が流れる戻り通路と、浴槽水を循環させる循環ポンプと、浴槽水の有無を検知する水流スイッチと、循環させる浴槽の湯温を検出する風呂センサと、給湯の出湯路と戻り通路を接続する通路に設けられた給湯電磁弁と、風呂の通路を切り替える三方弁と、前記浴槽に設けた風呂アダプタと、高濃度の酸素を供給する酸素富化装置と、前記酸素富化装置からの高濃度の酸素を追焚き循環回路に混入させる混入手段と、運転モードを入力したり、浴槽水の温度や水量等を設定できる外部入力装置とを有し、前記１缶２水式熱交換器で加熱した湯を前記給湯電磁弁から再度前記１缶２水式熱交換器を通らずに浴槽へ注湯する手段を備えたことを特徴とするものである。
【発明の効果】
【００１２】
本発明の風呂給湯器は、風呂お湯張り時に、実際に浴槽に注湯される湯温が配管の長さ、気温等のバラツキにより設定温度に対して湯温のバラツキがなく、また、シャワー使用中の浴槽水の湯温検知時に循環ポンプを動作する際にも、浴槽水の温度の上昇がなく、シャワー使用時、風呂お湯はり時、追い炊き時に酸素供給運転が可能で、水位センサがないタイプの風呂給湯器は風呂アダプタ  が浴槽水で満たされているか否かを検知する動作を短くして、風呂お湯はり時間を可能な限り短くし、使い勝手をよくした酸素供給機能付き１缶２水式風呂給湯器となる。
【発明を実施するための最良の形態】
【００１３】
第１の発明は、給湯回路と風呂回路を有する１缶２水式熱交換器と、給水路に設けられた給水温度を検知する水温センサおよび給水流量を検知する水量センサと、出湯路に設けられた湯温を検知する給湯センサおよび出湯流量を制御する給湯水量制御弁と、浴槽から１缶２水式熱交換器へ循環水が流れる戻り通路と、浴槽水を循環させる循環ポンプと、浴槽水の有無を検知する水流スイッチと、循環させる浴槽の湯温を検出する風呂センサと、給湯の出湯路と戻り通路を接続する通路に設けられた給湯電磁弁と、風呂の通路を切替える三方弁と、前記浴槽に設けた風呂アダプタと、高濃度の酸素を供給する酸素富化装置と、前記酸素富化装置からの高濃度の酸素を追焚き循環回路に混入させる混入手段と、運転モードを入力したり、浴槽水の温度や水量等を設定できる外部入力装置とを有し、前記１缶２水式熱交換器で加熱した湯を前記給湯電磁弁から再度前記１缶２水式熱交換器を通らずに浴槽へ注湯する手段を備えたものである。
【００１４】
これにより、実際に浴槽に注湯される温度を制御するには風呂戻り管側と風呂往き管側双方の水量の算出、双方の湯温の検知およびリアルタイムでの燃焼量制御などの複雑な制御が必要でなくなり、配管の長さ、気温等の条件変化により湯温のバラツキが生じる恐れがなくなる構成としたものである。
【００１５】
第２の発明は、１缶２水式熱交換器を加熱中に熱交換器を通らずに浴槽水を循環させる手段を備えたものである。
【００１６】
これにより、シャワー使用時などに給湯用熱交換器と追焚用熱交換器がバーナにより同時に加熱されても、風呂センサによる浴槽水の湯温検知時にポンプを循環する際、追焚用熱交換器を通らずに、浴槽水の温度が意図されずに上昇しない構成としたものである。
【００１７】
第３の発明は、酸素を追焚き循環回路に混入させる運転中に、浴槽水を加熱しながらか否かを選択できる手段を備えたものである。
【００１８】
これにより、シャワー使用時などには酸素供給運転が動作可能になり、使い勝手をよくした構成となる。
【００１９】
第４の発明は、風呂アダプタが浴槽水に完全に浸かる湯量を記憶し、記憶値以上の湯量が浴槽にある場合にのみ、前記酸素富化装置からの高濃度の酸素を追焚き循環回路に混入させる運転を許可する手段を備えたものである。
【００２０】
これにより、水位センサがないタイプの風呂給湯器でも風呂アダプタが浴槽水で満たされているか否かを検知する動作を短くして、自動お湯はり時間を可能な限り短くし、使い勝手をよくした構成となる。
【００２１】
以下、本発明の実施の形態について、図面を参照しながら説明する。なお、本実施の形態によって、本発明が限定されるものではない。
【００２２】
（実施の形態１）
図１は、本発明の実施の形態１における風呂給湯器の全体構成図である。
【００２３】
水は水入口より水量センサ２１、水温センサ２２を通り、給湯熱交換器２３ａで熱を吸収して、給湯水量制御弁２５、給湯センサ２４を通り、湯出口より放出される。ガスはガス入口より元電磁弁２６、ガスの比例弁２７を通り、バーナ２８で燃焼される。
【００２４】
浴槽へのお湯はりは、図２に示すような外部入力装置５１のふろ自動スイッチ５３が押されると、給湯熱交換器２３ａで熱を吸収した設定温度のお湯が給湯水量制御弁２５、給湯センサ２４を通り、給湯電磁弁２９、往き通路３０に水回路を固定した３方弁３１、往き通路３０および風呂の戻り通路３２を通って、風呂アダプタ３３から浴槽３４に設定された水量までお湯張りされる。
【００２５】
これにより、３方弁３１を介して熱交換器２３を加熱中に追焚用熱交換器２３ｂを通らずに浴槽水を循環させる手段を備えることにより、複雑な湯温制御が不必要になり配管の長さ、気温等のバラツキにより湯温などのバラツキに対して設定温度に対して実際の湯温の信頼性が高くなった。
【００２６】
浴槽内の湯温検知は循環ポンプ３５が循環し、浴槽内の湯が風呂アダプタ３３、戻り通路３２、風呂センサ３６、水流スイッチ３７、往き通路３０に水回路を固定した３方弁３１、風呂往き通路３０、風呂アダプタ３３と循環する。
これによりシャワー３８使用時に給湯用熱交換器２３ａと追焚用熱交換器２３ｂがバーナ２８により同時に加熱されても、浴槽水の湯温検知時にポンプ３５を循環する際、追焚用熱交換器２３ｂを循環水が通らないので浴槽水の温度が意図されずに上昇せず、快適に入浴をすることが可能になった。
【００２７】
浴槽水への単独酸素供給運転およびシャワー３８使用時等の給湯使用と酸素供給運転の同時使用は、図２に示すような外部入力装置５１の酸素スイッチ５２が押されると、浴槽水が循環ポンプ３５により、風呂アダプタ３３、戻り通路３２、風呂センサ３６、水流スイッチ３７、往き通路３０に水回路を固定した３方弁３１、往き通路３０、風呂アダプタ３３と循環し、酸素用ポンプ３８と酸素用ファン３９が動作し、酸素富化膜４０へ新鮮な空気が供給され酸素富化膜４０によって高濃度化された酸素が風呂アダプタ３３を通してエゼクタ効果で循環水と一緒に浴槽内に泡状に噴出される。
【００２８】
また、お湯張りしながらの酸素運転時は図２に示すような外部入力装置５１のふろ自動スイッチ５３と酸素スイッチ５２が押されると、給湯熱交換器２３ａで熱を吸収した設定温度のお湯が給湯水量制御弁２５、給湯センサ２４を通り、給湯電磁弁２９、往き通路３０に水回路を固定した３方弁３１、往き通路３０および風呂の戻り通路３２を通って、風呂アダプタ３３から浴槽に設定された水量までお湯張りされる。それと同時に酸素用ポンプ３８と酸素用ファン３９が動作し、酸素富化膜４０へ新鮮な空気が供給され酸素富化膜４０によって高濃度化された酸素が風呂アダプタ３３を通してエゼクタ効果で循環水と一緒に浴槽内に泡状に噴出される。
【００２９】
また、浴槽水の追焚きしながらの酸素供給運転は、図２に示すような外部入力装置５１の追焚きスイッチ５４と酸素スイッチ５２が押されると、浴槽水が循環ポンプ３５により、風呂アダプタ３３、戻り通路３２、風呂センサ３６、水流スイッチ３７、風呂熱交換器２３ｂ、３方弁３１、風呂往き通路３０、風呂アダプタ３３と循環し、ガスがガスの元電磁弁２６、比例弁２７を通り、バーナ２８で燃焼し、風呂熱交換器２３ｂで熱を吸収して、浴槽水の追焚きを行いながら、酸素用ポンプ３８と酸素用ファン３９が動作し、酸素富化膜４０へ新鮮な空気が供給され酸素富化膜４０によって高濃度化された酸素が風呂アダプタ３３を通してエゼクタ効果で循環水と一緒に浴槽内に泡状に噴出される。
【００３０】
これにより、給湯使用時、お湯張り時、追い炊き時などの酸素運転との同時運転が可能になり使い勝手の面で非常に快適に酸素入浴をすることが可能になる。
【００３１】
浴槽への最初のお湯はりは、図２に示すような外部入力装置５１のふろ自動スイッチ５３が押されると、給湯熱交換器２３ａで熱を吸収した設定温度のお湯が給湯水量制御弁２５、給湯センサ２４を通り、給湯電磁弁２９、往き通路３０に水回路を固定した３方弁３１、往き通路３０および風呂の戻り通路３２を通って、風呂アダプタ３３から所定の流量を浴槽３４にお湯張りする。その後浴槽水が循環ポンプ３５により、風呂アダプタ３３、戻り通路３２、風呂センサ３６、水流スイッチ３７、往き通路３０に水回路を固定した３方弁３１、往き通路３０、風呂アダプタ３３と循環し、水流スイッチ３７により風呂アダプタ３３が浴槽水で満たされているか否かを判断する。なければ再度所定流量注湯して再度循環ポンプ３５を回し水流スイッチ３７で湯量を確認する。これを繰り返し、風呂風呂アダプタ３３を満たした状態の注湯総流量４０を記憶する。２度目からのお湯張りは記憶値４０以上の湯量が浴槽にある場合にのみ、前記酸素富化装置からの高濃度の酸素を追焚き循環回路に混入させる運転を許可する。
【００３２】
これにより、水位センサ１８がないタイプの風呂給湯器でも風呂アダプタ３３が浴槽水で満たされているか否かを検知する動作を短くして、お湯はり時間を可能な限り短くし使い勝手がよくなる。
【００３３】
以上のように、本発明の風呂給湯器は、風呂お湯張り時に、実際に浴槽に注湯される湯温が配管の長さ、気温等のバラツキにより設定温度に対して湯温のバラツキがなく、また、シャワー使用中の浴槽水の湯温検知時に循環ポンプを動作する際にも、浴槽水の温度の上昇がなく、シャワー使用時、風呂お湯はり時、追い炊き時に酸素供給運転が可能で、水位センサがないタイプの風呂給湯器は風呂アダプタが浴槽水で満たされているか否かを検知する動作を短くして、風呂お湯はり時間を可能な限り短くでき、ガス、石油等を熱源とする酸素供給機能付き１缶２水式風呂給湯器に適用できる。
【図面の簡単な説明】
【００３４】
【図１】本発明の実施の形態１における風呂給湯器の全体構成図
【図２】同風呂給湯器の外部入力装置を示す図
【図３】従来の給湯器の全体構成図
【符号の説明】
【００３５】
２３ａ  給湯熱交換器
２３ｂ  追炊用熱交換器
２９  給湯電磁弁
３０  往き通路
３１  ３方弁
３２  風呂戻り通路
３３  風呂アダプタ
３４  浴槽
３５  ポンプ
３８  酸素用ポンプ
３９  酸素用ファン
４０  酸素富化膜
５１  外部入力装置
【図１】
2006022975.tif 000003
【図２】
2006022975.tif 000004
【図３】
2006022975.tif 000005